(57)【要約】【課題】印画紙の弛みの発生を抑制する。【解決手段】弾性部材４が、摩擦部材３をペーパーロールの側面１ｃに押し付ける。ペーパーロールの側面１ｃは、印画紙１ａの側面である紙層が複数重ねられることにより形成される。【選択図】図８
2014172697.tif 000002
【特許請求の範囲】
【請求項１】
筒状のロールコアと、該ロールコアにロール状に巻きつけられた長尺状の印画紙とから構成されるペーパーロールの側面に装着されるペーパーフランジユニットであって、
前記印画紙の側面である紙層が複数重ねられることにより形成される、前記ペーパーロールの側面に当接するように設けられた摩擦部材と、
弾性力により前記摩擦部材を前記ペーパーロールの側面に押し付ける弾性部材と、を備える
ペーパーフランジユニット。
【請求項２】
前記摩擦部材は、前記ペーパーロールの周縁部と前記ロールコアとの間の領域における、該ロールコアの近傍に設けられる
請求項１に記載のペーパーフランジユニット。
【請求項３】
前記摩擦部材には、前記ペーパーロールの回転軸に対する円周方向に沿って凹凸が設けられる
請求項１または２に記載のペーパーフランジユニット。
【発明の詳細な説明】
【技術分野】
【０００１】
本発明は、ペーパーロールを使用するプリンタにおいて、ペーパーロールを保持し、当該ペーパーロールをプリンタに装着する際に使用されるペーパーフランジユニットに関する。
【背景技術】
【０００２】
ペーパーロールを使用して印画を行うプリンタ（以下、プリンタＲともいう）が存在する。当該ペーパーロールは、筒状のロールコアと、該ロールコアの外側に巻き付けられた長尺状の印画紙とから構成される。プリンタＲでは、ロールコアに巻きつけられた印画紙を、必要な長さに切断する。
【０００３】
プリンタＲは、一般に、ペーパーロールを所定のトルクで駆動したり、所定量回転させたりして、印画紙を供給したり、当該印画紙を巻き取ったりする。そのため、プリンタＲにおいて、ペーパーロールは、ペーパーフランジユニットで保持される。また、ペーパーロールは、プリンタＲから、ペーパーフランジユニットを介して駆動力を受けることにより、回転、停止などの動作を行う。
【０００４】
プリンタＲは、例えば、複数色のパネルを持つインクシートを用いる熱転写型のカラープリンタである。当該カラープリンタでは、印画動作とスイングバックとが交互に繰り返されることにより、カラーの印画物が得られる。当該印画動作は、ペーパーロールから引き出された印画紙が印画機構部分により挟み込まれ、当該印画紙に圧力と熱が加えられることにより印画を行う動作である。当該印画機構部分は、サーマルヘッドとプラテンローラーとで構成される。スイングバックは、印画紙の同一箇所に対し別の色のインクで重ね印画するために、印画紙を一旦元の位置に戻す動作である。
【０００５】
また、プリンタＲには、前述の印画動作とスイングバックとを繰り返す際、ペーパーロールから一旦印画紙を巻き解き、当該印画紙を印画機構部分に供給した後、再び、ペーパーロールにより当該印画紙を巻き取る動作を行う構造を有するものもある。この場合、印画動作およびスイングバックの動作に影響を与えないよう、印画紙に適正な張力を保ったままペーパーロールを駆動する必要がある。このような構造のプリンタＲの場合、一般的に重量物であるペーパーロールの回転速度を適正に加速、減速させる動作を繰り返す必要があるので、構成は容易ではない。
【０００６】
一方、プリンタＲには、ペーパーロールから一旦巻き解いた印画紙を巻き戻さずに、プリンタＲ内で当該印画紙を弛ませる構造（以下、構造Ａともいう）を有するものもある。この構造Ａを有するプリンタＲにおいては、印画中に弛みが無くなり急峻な張力が印画紙に発生しないようにする必要がある。また、構造Ａを有するプリンタＲにおいては、弛んだ印画紙を溜めておく空間の限度により印画紙の弛みの量が大きくなり過ぎないようにする必要がある。
【０００７】
そのため、構造Ａを有するプリンタＲでは、適性にペーパーフランジユニットを駆動し、印画紙を送り出したり、巻き取ったりすることにより、印画紙の弛み量を調整する必要がある。ただし、構造Ａを有するプリンタＲは、前述のような印画動作とスイングバックを繰り返す際、印画紙を供給したり巻き取ったりして適正な張力を保つ構造のプリンタよりも、大まかな駆動を行えばよい。
【０００８】
また、印画紙をすべて使い切る前に、一旦プリンタＲ本体から、ペーパーロールを取り外す場合、弛んでいる印画紙をペーパーロールに巻き取り、当該ペーパーロールをロール状態にしてから、当該ペーパーロールをプリンタＲから取り出す方が、使用者にとって使用勝手がよい。このように、印画の際、印画紙を弛ませる機構のプリンタＲでも、ペーパーフランジユニットにより印画紙を巻き取ることが必要な場合がある。
【０００９】
また、印画紙をすべて使い切る前に、プリンタＲ本体から取りはずされたペーパーロールの周縁の印画紙の先端部が弛んだ場合、当該印画紙の取り扱いが煩雑になる。
【００１０】
ペーパーロールは、一般的には前述のように、ロールコアと印画紙とから構成される。なお、印画紙の終端がロールコアに接着されていないペーパーロールも存在する。また、ロールコアが無く、印画紙のみがロール状に巻き付けられて構成されるペーパーロールも存在する。
【００１１】
ペーパーフランジユニットは、特許文献１，２等に示されるように、一般に、ロールコアの内部に挿入される部分と、巻き付けられ積層された、印画紙の側面を覆う部分とから構成される。
【先行技術文献】
【特許文献】
【００１２】
【特許文献１】特開２０１２−０６２１９２号公報
【特許文献２】特開２００７−０９０７０７号公報
【発明の概要】
【発明が解決しようとする課題】
【００１３】
ペーパーロールにおいて、印画紙はロールコアにロール状に巻きつけられている。なお、印画紙の初期の形状は、ロール状ではなく、平面状である。なお、印画紙の側面である紙層が複数重ねられることにより、ペーパーロールの側面が形成される。ペーパーロールにおいて、当該ペーパーロールの周縁より十分内側に位置する印画紙は、当該印画紙より１層だけ外側に位置する印画紙（以下、印画紙Ａともいう）の背面により押さえつけられている。また、印画紙Ａは、当該印画紙Ａより１層だけ外側に位置する印画紙の背面により押さえつけられている。
【００１４】
このように、ペーパーロールの周縁から十分内側に位置する印画紙の形状は、ロール状を保つ。しかしながら、ペーパーロールの周縁付近の印画紙に対し、当該印画紙より１層だけ外側に位置する印画紙の背面から押さえられる力は小さい。元の形状が平面状である印画紙は、外側から十分な力を受けなければロール状を保つことができなくなる。その結果、ペーパーロールの周縁付近の印画紙は、自然に、形状をロール状に維持する力（以下、ロール状維持力ともいう）が弱く（緩く）なる。
【００１５】
ペーパーロールの周縁からロールコアまでの範囲のいずれの位置おいても、印画紙のロール状維持力が弱くなった場合、様々な不具合が生じる。当該不具合は、例えば、印画紙が弛み、当該弛んだ状態の印画紙に対し印画動作が行われた場合、当該印画紙に印刷される画像が傾く可能性が高くなるという不具合である。すなわち、当該不具合を発生させないようにするためには、印画紙の弛みの発生を抑制する必要がある。
【００１６】
本発明は、このような問題を解決するためになされたものであり、印画紙の弛みの発生を抑制することが可能なペーパーフランジユニットを提供することを目的とする。
【課題を解決するための手段】
【００１７】
上記目的を達成するために、本発明の一態様に係るペーパーフランジユニットは、筒状のロールコアと、該ロールコアにロール状に巻きつけられた長尺状の印画紙とから構成されるペーパーロールの側面に装着される。前記ペーパーフランジユニットは、前記印画紙の側面である紙層が複数重ねられることにより形成される、前記ペーパーロールの側面に当接するように設けられた摩擦部材と、弾性力により前記摩擦部材を前記ペーパーロールの側面に押し付ける弾性部材と、を備える。
【発明の効果】
【００１８】
本発明によれば、弾性部材が、前記摩擦部材を前記ペーパーロールの側面に押し付ける。前記ペーパーロールの側面は、前記印画紙の側面である紙層が複数重ねられることにより形成される。これにより、印画紙の弛みの発生を抑制することができる。
【図面の簡単な説明】
【００１９】
【図１】本発明の実施の形態１に係るペーパーフランジユニットの斜視図である。
【図２】ペーパーロールの斜視図である。
【図３】本発明の実施の形態１に係るペーパーフランジユニットの斜視図である。
【図４】本発明の実施の形態１に係るペーパーフランジユニットの断面図である。
【図５】ペーパーフランジの斜視図である。
【図６】ペーパーフランジの断面図である。
【図７】本発明の実施の形態１に係るペーパーフランジを示す斜視図である。
【図８】本発明の実施の形態１に係るペーパーフランジユニットを、ペーパーロールの側面に装着した状態の断面図である。
【発明を実施するための形態】
【００２０】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２１】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００２２】
＜実施の形態１＞
図１は、本発明の実施の形態１に係るペーパーフランジユニット２ａ，２ｂの斜視図である。具体的には、図１は、ペーパーフランジユニット２ａ，２ｂがペーパーロール１に装着されている状態の斜視図である。
【００２３】
図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｚ方向と、当該Ｚ方向の反対の方向（−Ｚ方向）とを含む方向をＺ軸方向ともいう。また、以下においては、Ｘ軸およびＺ軸を含む面を、ＸＺ平面ともいう。
【００２４】
図２は、ペーパーロール１の斜視図である。図３は、本発明の実施の形態１に係るペーパーフランジユニット２ａの斜視図である。図４は、本発明の実施の形態１に係るペーパーフランジユニット２ａの断面図である。
【００２５】
まず、ペーパーロール１について説明する。ペーパーロール１は、サーマルプリンタ等により使用される。
【００２６】
図２を参照して、ペーパーロール１は、ロールコア１０と、印画紙１ａとから構成される。ロールコア１０の形状は、筒状である。すなわち、ロールコア１０は、中空部ＳＰ１を有する。
【００２７】
印画紙１ａの形状は、長尺状である。印画紙１ａは、ロールコア１０にロール状に巻きつけられる。すなわち、ペーパーロール１は、ロールコア１０と、該ロールコア１０にロール状に巻きつけられた印画紙１ａとから構成される。なお、印画紙１ａの端は、ロールコア１０に固定されている。なお、これに限定されず、印画紙１ａの端は、ロールコア１０に固定されていなくてもよい。
【００２８】
以下においては、印画紙１ａの側面を、紙層ともいう。図２において、ペーパーロール１の側面１ｃは、複数の紙層（印画紙１ａの側面）が重ねられることにより形成される。
【００２９】
図１に示すように、ペーパーロール１は、１対のペーパーフランジユニット２ａ，２ｂにより挟まれることにより、ペーパーフランジユニット２ａ，２ｂにより保持される。具体的には、ペーパーフランジユニット２ａは、ペーパーロール１の一方の側面１ｃに装着される。ペーパーフランジユニット２ｂは、ペーパーロール１の他方の側面に装着される。
【００３０】
次に、ペーパーフランジユニット２ａについて説明する。すなわち、ペーパーフランジユニット２ａ，２ｂの一方についてのみ説明する。なお、ペーパーフランジユニット２ｂは、ペーパーフランジユニット２ａと同様な構成を有する。以下においては、ペーパーフランジユニット２ａ，２ｂの各々を、単に、ペーパーフランジユニット２ともいう。
【００３１】
図４を参照して、ペーパーフランジユニット２は、ペーパーフランジ２０と、後述の摩擦部材３と、後述の弾性部材４と、カバー５と、部品３０ａ，３０ｂとを含む。
【００３２】
図５は、ペーパーフランジ２０の斜視図である。具体的には、図５は、後述の弾性部材４が取り付けられていないペーパーフランジ２０の斜視図である。図５（ａ）は、ペーパーフランジ２０の斜視図である。図５（ｂ）は、図５（ａ）の領域Ｒ１の拡大図である。
【００３３】
図６は、ペーパーフランジ２０の断面図である。具体的には、図６は、後述の弾性部材４が取り付けられていないペーパーフランジ２０の断面図である。図６（ａ）は、ペーパーフランジ２０をＸＺ平面から見た図である。図６（ｂ）は、図６（ａ）のＸ１−Ｘ２線に沿ったペーパーフランジ２０の断面図である。図６（ｃ）は、図６（ｂ）の領域Ｒ２の拡大図である。
【００３４】
図４、図５および図６を参照して、ペーパーフランジ２０は、円盤状部２１と、筒状部２２とを含む。円盤状部２１の形状は、円盤状である。円盤状部２１は、面２１ｂを有する。また、筒状部２２の形状は、筒状である。
【００３５】
図４に示すように、ペーパーフランジユニット２は、ペーパーフランジ２０に、摩擦部材３、弾性部材４、カバー５および部品３０ａ，３０ｂを含む複数の部品が取り付けられたものである。
【００３６】
部品３０ａの形状は、例えば、皿状である。部品３０ａは、円盤状部２１に取り付けられる。部品３０ｂの形状は、筒状部２２に装着可能な形状である。部品３０ｂは、複数の部品から構成される。部品３０ｂは、ネジにより筒状部２２に固定される。筒状部２２と、部品３０ｂとから円柱部４０が構成される。円柱部４０は、中空部ＳＰ１に挿入される部分である。なお、摩擦部材３、弾性部材４およびカバー５については、後述する。
【００３７】
次に、本実施の形態の特徴部分の構成について説明する。図７は、本発明の実施の形態１に係るペーパーフランジ２０を示す斜視図である。具体的には、図７は、弾性部材４が取り付けられたペーパーフランジ２０を示す斜視図である。図７（ａ）は、ペーパーフランジ２０の全体を示す斜視図である。図７（ｂ）は、図７（ａ）の領域Ｒ３の拡大図である。
【００３８】
弾性部材４は、長尺状、かつ、板状の部材である。弾性部材４は、弾性を有する板バネである。図７（ｂ）に示すように、弾性部材４は、主面４ａと、裏面４ｂとを有する。裏面４ｂは、主面４ａの反対側の面である。また、弾性部材４には、穴Ｈ１が設けられる。
【００３９】
図５（ｂ）および図６（ｃ）に示すように、ペーパーフランジ２０の円盤状部２１には、部材配置部２ｃと、突起部２ｄ，２ｅ，２ｆが設けられる。部材配置部２ｃは、当該部材配置部２ｃの周囲より少し突出するように設けられる。部材配置部２ｃの表面は、平らである。部材配置部２ｃは、弾性部材４の一方の端部を配置するための部分である。
【００４０】
突起部２ｄ，２ｅ，２ｆは、弾性部材４の位置決めを行うための部材である。突起部２ｄの形状は、略円柱状である。突起部２ｅ，２ｆは、弾性部材４の側面を挟むように設けられる。突起部２ｅ，２ｆは、弾性部材４の幅よりも少しだけ広い間隔で設けられる。
【００４１】
図７（ｂ）に示すように、弾性部材４の一方の端部は、部材配置部２ｃに固定される。なお、前述した図４のカバー５は、弾性部材４を予めたわませるための部材である。図４に示すように、カバー５は、弾性部材４の一部を覆うように、円盤状部２１に取り付けられる（固定される）。
【００４２】
具体的には、弾性部材４の中央部は、カバー５により、円盤状部２１のうち面２１ｂの裏面側に押さえつけられる。これにより、弾性部材４は、予めたわんだ状態となっている。すなわち、弾性部材４は、ペーパーフランジユニット２がペーパーロール１に装着されていない場合においても、予めたわんだ状態となっている。
【００４３】
なお、カバー５と接触する部分は、弾性部材４の中央部に限定されない。弾性部材４をたわませることが可能な箇所であれば、弾性部材４のどの部分であってもよい。
【００４４】
以下においては、ペーパーフランジ２０に弾性部材４が取り付けられている状態を、取り付け状態ともいう。図７（ｂ）のように、取り付け状態では、弾性部材４の穴Ｈ１を突起部２ｄが貫通する。また、取り付け状態では、図５（ｂ）の突起部２ｅ，２ｆにより、弾性部材４の短手方向の側面が挟まれる。すなわち、取り付け状態では、突起部２ｄ，２ｅ，２ｆにより、弾性部材４の位置が固定される。取り付け状態のペーパーフランジ２０は、本発明の実施の形態１に係るペーパーフランジ２０である。
【００４５】
また、以下においては、弾性部材４が取り付けられたペーパーフランジ２０を含むペーパーフランジユニット２の状態を、取り付け状態ともいう。すなわち、取り付け状態のペーパーフランジユニット２には、弾性部材４が取り付けられている。取り付け状態のペーパーフランジユニット２は、本発明の実施の形態１に係るペーパーフランジユニット２である。
【００４６】
図６（ｂ）に示すように、ペーパーフランジ２０の円盤状部２１には、さらに、穴Ｈ２が設けられる。
【００４７】
図８は、本発明の実施の形態１に係るペーパーフランジユニット２を、ペーパーロール１の側面１ｃに装着した状態の断面図である。すなわち、図８は、本発明の実施の形態１に係るペーパーフランジ２０を、ペーパーロール１の側面１ｃに装着した状態の断面図でもある。以下においては、ペーパーフランジユニット２を、ペーパーロール１の側面１ｃに装着した状態を、装着状態ともいう。なお、図８は、装着状態における図４の領域Ｒ１０の拡大図でもある。
【００４８】
装着状態では、図４のペーパーフランジユニット２の円柱部４０は、ロールコア１０の中空部ＳＰ１に挿入されている。なお、装着状態において、ペーパーフランジユニット２（円柱部４０）は、ロールコア１０に強固に固定されるように構成される。
【００４９】
例えば、円柱部４０には、装着状態において、ペーパーフランジユニット２に設けられたボタン等の押下により、ロールコア１０の内面に大きな摩擦力を与える部材が設けられる。なお、ペーパーロール１の交換等によりペーパーフランジユニット２をロールコア１０からはずす場合は、例えば、当該ボタンを押下することにより、ロールコア１０の内面に与える摩擦力を解除するようペーパーフランジユニット２は構成される。なお、上記構成の具体的構造の詳細は、本明細書では、省略する。
【００５０】
また、装着状態では、円盤状部２１の面２１ｂは、側面１ｃと接する。
【００５１】
図８に示すように、弾性部材４の他方の端部には、摩擦部材３が設けられる。具体的には、摩擦部材３は、装着状態において、ペーパーロール１の周縁部とロールコア１０との間の領域における、該ロールコア１０の近傍に配置されるように、弾性部材４の裏面４ｂに貼り付けられる。すなわち、摩擦部材３は、ペーパーロール１の周縁部とロールコア１０との間の領域における、該ロールコア１０の近傍に設けられる。摩擦部材３は、摩擦面３ａを有する。摩擦面３ａには、凹凸が形成されている。これにより、摩擦面３ａと接する部分には、摩擦力が加えられる。なお、摩擦面３ａの構成は、上記の構成に限定されない。例えば、摩擦部材３が、摩擦力の大きいゴムで構成されてもよい。
【００５２】
前述したように、摩擦部材３は、弾性部材４の裏面４ｂに貼り付けられる。なお、装着状態では、摩擦部材３の摩擦面３ａは、穴Ｈ２内からＹ方向へ向かって弾性部材４により力を受ける。具体的には、摩擦部材３の摩擦面３ａは、弾性部材４の弾性力により、側面１ｃに押し付けられる。すなわち、摩擦部材３は、装着状態において、ペーパーロール１の側面１ｃに当接するように設けられている。また、弾性部材４は、当該弾性部材４の弾性力により摩擦部材３をペーパーロール１の側面１ｃに押し付ける。これにより、側面１ｃのうち、摩擦部材３と接する部分には、摩擦力が加えられる。
【００５３】
なお、図８では、摩擦部材３は、摩擦面３ａの一部が側面１ｃに接するように、弾性部材４に設けられているが、これに限定されない。例えば、摩擦部材３は、摩擦面３ａの全体が側面１ｃに接するように、弾性部材４に設けられてもよい。
【００５４】
次に、ペーパーフランジユニット２をペーパーロール１に装着する際における各部の動き等について説明する。
【００５５】
まず、ペーパーフランジユニット２の円柱部４０が、ロールコア１０の中空部ＳＰ１に挿入され、ペーパーロール１の側面１ｃは、ペーパーフランジユニット２（円盤状部２１）の面２１ｂに接する。このとき、側面１ｃが摩擦部材３を押すことにより、摩擦部材３を押し付けている弾性部材４はたわむ。その結果、ペーパーロール１の側面１ｃと摩擦部材３は同じ平面上に位置するようになる。
【００５６】
摩擦部材３は、たわんだ弾性部材４の弾性力（荷重）により側面１ｃに押し付けられる。このとき、ペーパーフランジユニット２はペーパーロール１のロールコア１０の中空部ＳＰ１に挿入され、強固に固定されている。そのため、側面１ｃが摩擦部材３を押し付けることにより、ペーパーロール１の側面１ｃとペーパーフランジユニット２（円盤状部２１）の面２１ｂとが離れることはない。
【００５７】
前述したように、弾性部材４の一方の端部はペーパーフランジ２０の部材配置部２ｃに固定される。また、前述したように、弾性部材４は、カバー５により、当該弾性部材４の中央部を押される。このため、弾性部材４は、ペーパーフランジユニット２の円柱部４０が、ペーパーロール１の中空部ＳＰ１に挿入され、ペーパーロール１の側面１ｃと摩擦部材３が接する前から、予めたわんでいる。すなわち、弾性部材４は、ペーパーフランジユニット２がペーパーロール１に装着されていない状態において、予めたわんだ状態となっている。
【００５８】
このため、ペーパーロール１の側面１ｃが摩擦部材３により押し付けられた後における弾性部材４のわずかなたわみにより、弾性部材４は、十分な荷重で摩擦部材３を側面１ｃに押し付けることが可能である。
【００５９】
このように、側面１ｃはペーパーフランジ２０（円盤状部２１）の面２１ｂとは接するだけである。また、側面１ｃのうち、摩擦部材３と当たる部分は摩擦部材３により荷重を受ける。
【００６０】
側面１ｃには、弾性部材４の弾性力により摩擦部材３が押し付けられている。そのため、側面１ｃと摩擦部材３との間で摩擦力が働く。前述のようにペーパーロール１の周縁付近では、印画紙１ａは緩んでしまう傾向がある。なお、摩擦部材３が、仮に、ペーパーロールの周縁付近にあれば、側面１ｃは摩擦部材３からの摩擦力を受ける。この場合、印画紙１ａは自由に動くことはなく、印画紙１ａの緩みは、ある程度規制される。その結果、印画紙１ａは緩みにくくなる。
【００６１】
以上説明したように、本実施の形態によれば、弾性部材４が、摩擦部材３をペーパーロールの側面１ｃに押し付ける。ペーパーロールの側面１ｃは、印画紙１ａの側面である紙層が複数重ねられることにより形成される。これにより、印画紙１ａの弛みの発生を抑制することができる。また、印画紙１ａの先端部が、意図せずに緩んで、ペーパーロール１から巻きほどけることを防止することができる。
【００６２】
また、本実施の形態では、弾性部材４は、ペーパーフランジユニット２がペーパーロール１に装着されていない場合においても、予めたわんだ状態とされる。これにより、部品間においてガタが生じるのを防ぐことができる。ここで、例えば、弾性部材４がペーパーフランジ２０に取り付けられた状態において、仮に、弾性部材４の固定が十分でないとする。この場合、上記のガタは、ペーパーフランジユニット２を振った場合、弾性部材４が振動して動くことである。
【００６３】
なお、仮に、弾性部材４を予めたわませていないとする。この構成において、弾性部材４の他方の端部の摩擦部材３が、側面１ｃに当たったとする。この場合、上記のガタの量が減るだけで、弾性部材４がたわまず、摩擦部材３が側面１ｃに荷重を与えない可能性がある。
【００６４】
このような状態を防ぐために、本実施の形態では、弾性部材４は、ペーパーフランジユニット２がペーパーロール１に装着されていない場合においても、予めたわんだ状態とされる。
【００６５】
また、本実施の形態では、ペーパーロール１のうち、ロールコア１０に近い位置のみに摩擦部材３が配置される。これにより、印画紙１ａの終端が、ロールコア１０に固定されていないペーパーロール１でも、単純な構成で、印画紙１ａが、意図せず緩んで、印画紙１ａの終端がロールコア１０から離れてしまうことを防止することができる。そのため、必要に応じてロールコア１０で緩んだ印画紙１ａをプリンタにより巻き取ることが可能である。
【００６６】
一般に、印画紙１ａは設定された印画枚数より余裕を持った長さを有する。そのため、所定枚数の印画が終了した場合におけるペーパーロール１は、ロールコア１０の周りに幾分かの長さの印画紙１ａが残っている。本実施の形態では、装着状態において、この残った印画紙１ａからなる側面１ｃが摩擦部材３により押し付けられる。そのため、印画紙１ａを弛ませる構造のプリンタにおいても、印画紙１ａの弛ませる仕組みには影響を与えない。
【００６７】
なお、摩擦部材３が配置される位置は、上記の位置に限定されない。例えば、ペーパーロール１のうちロールコア１０に近い位置から円盤状部２１の周縁に近い位置までにわたって、摩擦部材３を配置する構成（以下、構成Ａ１ともいう）としてもよい。この構成Ａ１により、ペーパーロール１の側面１ｃの全ての位置において印画紙１ａを弛みにくくすることができる。
【００６８】
これにより、例えば、まだ残量のあるペーパーロール１をプリンタから取り外した後、当該ペーパーロール１から印画紙１ａの先端がペーパーロール１の周縁から自然に緩んでしまうことがない。そのため、ペーパーロール１は、ロール形状を保つことができ、取り扱いが容易になる。
【００６９】
ただし、構成Ａ１では、側面１ｃを、摩擦部材３による摩擦力により保持しているだけである。そのため、当該摩擦力は、印画紙１ａが自然に緩んで巻きほどけるのには十分な保持力である。したがって、意図的に、印画紙１ａをペーパーロール１から巻きほどく方向に引っ張ると印画紙１ａを、ほどくことができ、印画紙１ａを供給することができる。
【００７０】
なお、摩擦部材３には、ペーパーロール１の回転軸に対する円周方向に沿って凹凸が設けられる構成としてもよい。具体的には、摩擦部材３の摩擦面３ａには、ペーパーロール１の回転軸に対する円周方向に沿って凹凸が設けられる構成としてもよい。ペーパーロール１の回転軸とは、ペーパーロール１が回転する際の軸である。この構成により、側面１ｃの保持力をさらに向上させることができる。
【００７１】
なお、従来のペーパーフランジユニットでは、前述した問題以外にも、以下のような問題がある。以下に具体的に説明する。
【００７２】
前述したように、ペーパーロールの周縁付近の印画紙のロール状維持力が弱くなったとしても、当該印画紙より内側に位置する印画紙がロールコアの形状に応じたロール状を保っていれば、以下のことが可能である。つまり、ペーパーフランジユニットによりロールコアが印画紙を巻き取る方向に駆動された場合、弛んだ印画紙を巻き取ることが可能である。
【００７３】
なお、印画動作の際、印画紙を弛ませる構造Ａを有するプリンタＲでは、印画紙が送り出される方向にペーパーロールを回転させる。そのため、前述のように、構造Ａを有するプリンタＲにおいては、ある層に位置する印画紙が、当該印画紙より１層だけ外側に位置する印画紙の背面で充分に押さえつけられない。その結果、印画紙の形状がロール状を保持できなくなる。したがって、ペーパーロールの周縁付近の印画紙のロール状維持力は弱くなる（緩む）。
【００７４】
また、前述のように、印画紙の終端がロールコアに接着されていない構造のペーパーロールを用いる、構造Ａを有するプリンタＲでは、以下のような現象が生じる。例えば、構造Ａを有するプリンタＲにおいて、ロールコア付近の印画紙が使用される場合、一旦、当該印画紙のロール状維持力が緩むと、当該印画紙とロールコアとは離れてしまう。この場合、ロールコアにより、当該印画紙を巻き取ることができなくなるという問題がある。以下においては、印画紙の終端がロールコアに接着されていない構造のペーパーロールを、非接着ペーパーロールともいう。
【００７５】
すなわち、従来のペーパーフランジユニットでは、ロールコア付近の印画紙のロール状維持力が弱くなってしまう。そのため、非接着ペーパーロールを、構造Ａを有するプリンタＲには利用できないという問題がある。
【００７６】
そこで、本実施の形態では、上記のように構成されることにより、従来のペーパーフランジユニットにおける上記問題を解決することができる。
【００７７】
なお、本発明は、その発明の範囲内において、実施の形態を適宜、変形、省略することが可能である。
【符号の説明】
【００７８】
１  ペーパーロール、１ａ  印画紙、２，２ａ，２ｂ  ペーパーフランジユニット、２ｃ  部材配置部、３  摩擦部材、４  弾性部材、５  カバー、１０  ロールコア、２０  ペーパーフランジ、２１  円盤状部、２２  筒状部、Ｈ２  穴。
【図１】
2014172697.tif 000003
【図２】
2014172697.tif 000004
【図３】
2014172697.tif 000005
【図４】
2014172697.tif 000006
【図５】
2014172697.tif 000007
【図６】
2014172697.tif 000008
【図７】
2014172697.tif 000009
【図８】
2014172697.tif 000010